(57)【要約】  本発明は、データを長期間に亘って保管するのに適した本質的に矩形のメモリーカード（１）用の、少なくとも三枚のメモリーカードを収容し、これらを振動及び損傷から保護するケース（６）に関する。このケース（６）は、標準的な容器における一般的な基準に従った寸法を備えている。ケース（６）は、ディスケット、ＣＤ又はＤＶＤ、ＣＤケース又はケース挿入体、たばこの箱又はディスケットの箱又はフィルム容器の形態及び寸法を有する。
2008529140.tif 000002
【特許請求の範囲】
【請求項１】
データを長期間にわたって保管するのに適した本質的に矩形のメモリーカード（１）用のケースであって、少なくとも三枚のメモリーカードを収容し、これらを振動及び損傷から保護するケースにおいて、
前記ケースは、標準的な容器における一般的な基準に従った寸法を備えている、ことを特徴とするケース。
【請求項２】
請求項１に記載のケースにおいて、
前記ケースは、ＣＤの形態及び寸法を備えている、ことを特徴とするケース。
【請求項３】
請求項１に記載のケースにおいて、
前記ケースは、ＣＤケース挿入体（２）、ＣＤケース、又はディスケットの形態及び寸法を備えている、ことを特徴とするケース。
【請求項４】
請求項３に記載のケースにおいて、
前記ＣＤケースの厚さは５ｍｍである、ことを特徴とするケース。
【請求項５】
請求項３に記載のケースにおいて、
前記ＣＤケースの厚さは１０ｍｍである、ことを特徴とするケース。
【請求項６】
請求項１に記載のケースにおいて、
前記ケースは、たばこの箱又はディスケットの箱（４）の形態及び寸法を備えている、ことを特徴とするケース。
【請求項７】
請求項１に記載のケースにおいて、
前記ケースは、フィルムボックスの形態及び寸法を備えている、ことを特徴とするケース。
【請求項８】
請求項２に記載のケースにおいて、
前記ケースは、まさに一部品（６）から形成されている、ことを特徴とするケース。
【請求項９】
請求項８に記載のケースにおいて、
前記ケース（６）の外周には幾つかの開口部スロット（７）が形成されており、これらのスロットに前記メモリーカードを滑り込ませ、摩擦によって保持することができる、ことを特徴とするケース。
【請求項１０】
請求項２に記載のケースにおいて、
前記ケースは、円形の経路上に配置された少なくとも三つの凹所（８）を有し、これらの凹所の各々は前記メモリーカード（１）の大きさを有し、前記凹所（８）の各々に前記メモリーカードを押し込むことができる、ことを特徴とするケース。
【請求項１１】
請求項１０に記載のケースにおいて、
各凹所（８）は、例えばゴム等の軟質材料でライニングされている、ことを特徴とするケース。
【請求項１２】
請求項２に記載のケースにおいて、
前記ケースは、円形の経路上に配置された少なくとも三つの凹所（８）を有し、これらの凹所の各々は前記メモリーカード（１）の大きさを有し、前記凹所（８）の各々に設けられた輪郭（９）に前記メモリーカードを滑り込ませることができる、ことを特徴とするケース。
【請求項１３】
請求項１０、１１、又は１２に記載のケースにおいて、
前記ケースの厚さは２ｍｍである、ことを特徴とするケース。
【請求項１４】
請求項２に記載のケースにおいて、
前記ケース（１０）は、上部分（１１）及び下部分（１２）の二つの部分から形成されている、ことを特徴とするケース。
【請求項１５】
請求項１４に記載のケースにおいて、
前記上部分（１１）の外周には、幾つかの凹所（８）が設けられており、前記下部分（１２）には、各凹所（８）と向き合ったキャビティ（１３）が設けられている、ことを特徴とするケース。
【請求項１６】
請求項２に記載のケースにおいて、
前記ケースは、上部分（１１）及び下部分（１２）並びに前記上部分（１１）と前記下部分（１２）との間に配置された一つ又はそれ以上のばね（１４）を含み、前記ばね（１４）は、円形の平面上に均等に配置されており、前記ばね（１４）のうちの二つのばねの間に挿入できるメモリーカード（１）に対して横方向支持を提供する、ことを特徴とするケース。
【請求項１７】
請求項１６に記載のケースにおいて、
前記下部分（１２）には、様々な大きさのばね（１４）を取り付けるための手段（１５）が設けられている、ことを特徴とするケース。
【請求項１８】
請求項１４に記載のケースにおいて、
様々な厚さの記憶媒体（１）を固定できる、ことを特徴とするケース。
【請求項１９】
請求項１４又は１８に記載のケースにおいて、
前記上部分（１１）の下面の外周には、前記上部分（１１）と前記下部分（１２）との間に滑り込ませたメモリーカード（１）を保持するようになった例えばゴム製の保持リング（１６）が設けられている、ことを特徴とするケース。
【請求項２０】
請求項１４又は１８に記載のケースにおいて、
前記上部分（１１）の下面には、前記上部分（１１）と前記下部分（１２）との間に滑り込ませたメモリーカード（１）を保持するようになった幾つかの可撓性層板（１７）が同心の配置で設けられている、ことを特徴とするケース。
【請求項２１】
請求項１３乃至２０のうちのいずれか一項に記載のケースにおいて、
前記上部分（１１）の中心を前記下部分（１２）に二段クリップによって様々な高さでクリップ止めできる、ことを特徴とするケース。
【請求項２２】
請求項２に記載のケースにおいて、
前記ケースは、環状をなして配置された複数のクランプエレメント（１９）を有し、これらのクランプエレメントは、メモリーカードを二つのクランプエレメント（１９）間にクランプして振動から保護できるように構成されている、ことを特徴とするケース。
【請求項２３】
請求項２２に記載のケースにおいて、
前記クランプエレメント間には傾斜角度を持つパッド（２０）が配置されており、そのため、二つのクランプエレメント（１９）間にクランプされたメモリーカード（１）は同じ傾斜角度を示す、ことを特徴とするケース。
【請求項２４】
請求項３、４、又は５に記載のケースにおいて、
前記ＣＤケース挿入体（２）は複数のクランプエレメント（１９）を有し、前記複数のクランプエレメント（１９）は、メモリーカード（１）を二つのクランプエレメント（１９）間にクランプして振動から保護できるように列をなして配置されている、ことを特徴とするケース。
【請求項２５】
請求項２４に記載のケースにおいて、
前記クランプエレメント（１９）間には、ＣＤケース挿入体の外寸法に関して傾斜角度を持つパッド（２０）が設けられており、そのため、二つのクランプエレメント（１９）間にクランプされたメモリーカード（１）は同じ傾斜角度を示し、少なくとも一つの領域で前記ＣＤケース挿入体（２）に関して間隔が隔てられている、ことを特徴とするケース。
【請求項２６】
請求項３、４、又は５に記載のケースにおいて、
前記ＣＤケース挿入体（２）は、円をなして配置された複数の凹所（８）を有し、メモリーカード（１）は、前記凹所（８）の各々に滑り込ませることができ、各凹所のほぼ中央には、挿入されたメモリーカード（１）を指で押し出すようになった穴（２１）が設けられている、ことを特徴とするケース。
【請求項２７】
請求項２６に記載のケースにおいて、
前記ケースは、メモリーカード（１）一つ分の大きさを持つ開口部（２３）を備えた回転自在のカバー（２２）を有し、前記カバー（２２）の回転により前記開口部（２３）が全ての凹所（８）を個々に露出する、ことを特徴とするケース。
【請求項２８】
請求項６に記載のケースにおいて、
前記ケース（４）の２つの対向する端部の各々に開口部蓋（２４）が設けられており、各端部に数枚のメモリーカード（１）を挿入でき、これらのメモリーカードは、それらの最終挿入状態で、メモリーカードをクランプするために設けられたクランプ手段（２５）内にクランプされる、ことを特徴とするケース。
【請求項２９】
請求項７に記載のケースにおいて、
前記ケース（５）は、発泡材料製フォームを収容しており、前記フォームにはスロットの形態の幾つかの凹所（２７）が設けられ、これらの凹所の各々にメモリーカード（１）を挿入して振動から保護できる、ことを特徴とするケース。
【請求項３０】
請求項１乃至２９のうちのいずれか一項に記載のケースにおいて、
前記メモリーカード（１）は、セキュアデジタルカード、コンパクトフラッシュカード、マルチメディアカード、メモリースティック、ｘＤデジタルカード、又はスマートメディアカードである、ことを特徴とするケース。
【発明の詳細な説明】
【技術分野】
【０００１】
本発明は、データを長期間に亘って保管するのに適した本質的に矩形のメモリーカード用のケースに関する。前記ケースは、少なくとも三枚のメモリーカードを、振動及び損傷に対して保護するように収容する。
【背景技術】
【０００２】
近年、記憶媒体の種類が常に変化してきている。ＣＤがレコード盤に取って代わるまで、長い間、音楽用のレコード盤やカセットテープが標準的なものであった。ＭＰ３プレーヤーがウォークマンに取って代わったとき、メモリーカードがカセットテープの地位を奪った。例えば、ＣＤと寸法が同じであるが記憶容量が数倍のＤＶＤが開発され、映画用の記憶装置の標準的なフォーマットになり、今日ではビデオカセットに取って代わっている。ディスケット（フロッピーディスク）は、既に、メモリーカードに取って代わられている。このようなメモリーカードの利点は、全ての媒体及びデータキャリヤに使用できるということである。
【０００３】
今日、益々大きな記憶容量を持つ複数のメモリーカードが益々低価格で提供されている。現在、これらのメモリーカードの主な用途は、例えば、携帯電話、デジタルカメラ、及びＭＰ３プレーヤーであり、多くの場合、メモリースティックの形態で、データの記憶及び転送に益々使用されている。記憶容量は、１ＭＢから２ＭＢに瞬く間に増大し、５ＧＢのＳＤカードが２００５年の中頃には市販されると期待されていたが、今日では８ＧＢのコンパクトフラッシュカードを既に手に入れることができる。価格低下により、メモリーカードは、将来、重要な記憶媒体となることが期待されており、例えばデータ、写真、フィルム、及び音楽を長期間に亘って保管するという他の用途で使用されることが期待されている。このことは、書き込んだメモリーカードが、多くの場合、上書きされるのでなく保管されるということを意味する。このようにして、例えば、様々なスタイルやインタープリターの音楽、一年間に撮影した写真、又はプロジェクトの作業結果を別々に記憶できる。かくして、コンピュータのハードディスクと交代し、バックアップの省略によりデータが失われる危険が小さくなる。更に、焼き付けたＣＤの半寿命が１０年であるのに対し、メモリーカードの記憶の安定性は無限であり、データを長期間に亘って保管するのに適しており、データを専門家の分野でマイクロフィルムと同様にバックアップするのに適している。ＣＤやディスケットと異なり、メモリーカードは可動部品がなく、及び従って、機械的磨耗を受けることが少ない。メモリーカードの弱点は、接触部へハンダ付けした箇所である。
【０００４】
現在、複数のメモリーカードを市場で入手できる。これらのメモリーカードは全て、本質的に矩形であり、凹所が特定の場所に設けられた縁部又は別の凹所が、メモリーカードの配向を明確に決定する。このようにして、デバイスに挿入する上で必要な方向を容易に確認できる。以下の表は、今日広範に使用されているメモリーカードの選択の全体像を、それらの短縮表示及び寸法とともに提供するものである。
【表１】
2008529140.tif 000003
【０００５】
この表は、現在の最も一般的なモデルを含むものであって、網羅的ではない。現在の規格は、とりわけ、マルチメディアカード協会(www.mmca.org)又はＳＤカード協会(www.sdcard.org)によって確立された。しかしながら、今日知られているメモリーカードと寸法が本質的に同じである、その他の及び新たなメモリーカードが考えられる。本発明は、長期間に亘って保管するのに適した、本質的に矩形の全てのメモリーカード、及び将来、市場に登場することが期待される様々な寸法の新たなカードに関する。
【０００６】
保管を行うため、大量のこのようなメモリーカードを収容し、保管し、及び輸送時の振動や塵埃に対して保護するため、こうした目的に適した容器が必要とされている。他方、消費者は、常に新しい保管ケースを購入しなければならないということに頭を悩ませている。特に、例えば自動車におけるモバイル環境において、ＣＤやＣＤケースを収容するための運転席の標準的なデバイスは、既存の規格の機器である。従って、新たな形式に変更するには、一般的には、車輛の少なくとも一世代を必要とする。
【発明の開示】
【発明が解決しようとする課題】
【０００７】
本発明の目的は、新たな形式への適合を、できるだけ小さな変更で行うことにより、使用者に広く受け入れられる、冒頭に言及した種類のメモリーカード用ケースを提案することである。
【課題を解決するための手段】
【０００８】
この目的は、標準的な容器における一般的な基準に従った寸法を備えたケースによって達成される。詳細には、ケースは、ディスケット、ＣＤ又はＤＶＤ、ＣＤケース挿入体、たばこの箱、ディスケットの箱、又はフィルム容器の形態及び寸法を備える。
【０００９】
使用者が今日までこのような容器、主にＣＤ及びＣＤケースに慣れ親しんできており、既に多くのＣＤスタンド、フォルダ、及びバッグが購入されているため、こうしたケースが問題を解決する。この他の好ましい実施形態は、従属項に記載してある。
【００１０】
本発明を添付図面を参照して以下に詳細に説明する。
【発明を実施するための最良の形態】
【００１１】
図１は、データを長期間に亘って保管するのに適した本質的に矩形のメモリーカード１用の一部品ケース６を示す。前記ケース６は、少なくとも三枚のメモリーカード１を収容し、これらを振動や損傷から保護する。ケース６は、ＣＤ又はＤＶＤの形態及び標準寸法を有する。詳細には、ケース６は中央穴２８を有し、この穴によって、ケース６を、例えば高さが１０ｍｍの全ての標準的なＣＤケースに挿入できる。
【００１２】
ケース６の外周には、幾つかの開口部スロット７が配置されており、これらのスロットにメモリーカード１を挿入でき、これらのメモリーカード１は摩擦によって保持される。開口部スロット７は、メモリーカード１の形式に従って変化してもよい。開口部スロット７は、メモリーカード１に対して案内及び支持を提供する横方向案内溝を有する。
【００１３】
図２ａ乃至図２ｄは、一部品ケース６の別の実施形態を示す。この実施形態は、図２ａ及び図２ｃでは、メモリーカード１を収容するために設けられた凹所８にメモリーカード１が収容される。凹所の寸法は、この実施形態でも、メモリーカードの大きさに従って変化してもよい。このようなケースは、ＣＤの形態のこれらのケースの厚さが２ｍｍしかないため、厚さが５ｍｍしかないＣＤケースに収容できる。これらの実施形態では、ケース６は、好ましくは、硬質プラスチックで製造される。図２ａ及び図２ｂでは、メモリーカード１を凹所８にカチッと取り付け、又は押し込む。凹所８は、軟質材料、例えばゴムでライニングしてあってもよい。図２ｃ及び図２ｄでは、凹所８の縁部に輪郭９が設けられており、ここにメモリーカード１を滑り込ませることができる。
【００１４】
図３ａは、二部品実施形態１０を示す。この実施形態では、上部分１１が図３ｂに示してあり、下部分１２が図３ｃに示してある。これらの二つの部分は、それらの中央部分で互いに相接している。この二部品ケース１０は、厚さ１０ｍｍのＣＤケースにカチッと取り付けることができ、又はそれ自体を物品として使用してもよい。メモリーカードの形式は変化してもよい。上部分１１の周囲には、幾つかの凹所８が形成されているのに対し、下部分は、各凹所８と向き合ったキャビティ１３を有する。このようにして、メモリーカード１の中央には応力が加わらず、メモリーカードは安全に収納される。上部分１１の凹所８の縁部には案内リムが設けられており、ここにメモリーカードがクランプされる。
【００１５】
図４ａ、図４ｂ、及び図４ｃは、図３の変形例を示す。この実施形態では、下部分１１と上部分１２との間にばね１４が設置されている。これらのばねは、円形の経路上に配置されており、二つのばね１４の間に挿入したメモリーカードに対し、横方向支持を提供する。下部分１２には、好ましくは、様々な大きさのばね１４を固定するようになった手段１５を設けることができる。
【００１６】
図５ａ及び図５ｂは、本質的に二つの部品を含む、本発明によるケース１０の別の実施形態を示す。この実施形態では、図５ｂに示すように、メモリーカード１を上部分１１と下部分１２との間にクランプする。この上部分１１の外周には、好ましくはゴム製の保持リング１６が配置されている。この保持リング１６は、上部分１１と下部分１２との間で摺動するメモリーカード１をクランプでき、保持できる。図５ｃは、上部分１１の輪郭でこの種のリングを示す。
【００１７】
クランプ手段の別の実施形態を図５ｄ及び図５ｅに示す。保持リング１６の代わりに、環状に配置された一つ又はそれ以上の可撓性層板１７が示してある。これらの層板１７もまた、記憶媒体を保持するようになっている。これらの層板１７は、細長いストラップの形態であってもよいし、ノブの形態であってもよい。ケースの中央に設けられた手段を互いにカチッと取り付けることによって上部分１１と下部分１２とを係合させたとき、メモリーカードの有効厚さを、適当な２段クリップ１８によって調節できる。かくして、このデバイスは、メモリーカード１の幅を特定しない。
【００１８】
図６は、メモリーカード１を二つの隣接したクランプエレメント１９間にクランプでき且つ振動から保護できるように、複数のクランプエレメント１９が環状に配置されたケースを示す。クランプエレメント１９の間には、所定の傾斜角度を持つ追加のパッド２０が設けられている。これにより、二つのクランプエレメント１９間にクランプされたメモリーカード１が、この所定の傾斜角度を示す。この傾斜位置により、メモリーカード１の取り出し及び再挿入が容易になる。
【００１９】
図７及び図８は、厚さが５ｍｍ又は１０ｍｍの標準的なＣＤケースに挿入できる、形状及び寸法がＣＤケース挿入体２と対応するケースを示す。ＣＤケース挿入体２を蓋に直接的に取り付けることもでき、この蓋とともに、ＣＤケース挿入体２用の追加の底部品を提供することを必要とせずにＣＤケースを形成する。この実施形態は、多くの場合、厚さが５ｍｍのＣＤケースについて使用される。挿入体をケースに直接接合し、製品又は部品を形成することも考えられる。
【００２０】
図７ａは、メモリーカード１を二つの隣接したクランプエレメント１９間にクランプでき且つ振動から保護できるように、複数のクランプエレメント１９を所定のパターンで配置したＣＤケース挿入体２を示す。図６に示すように、クランプエレメント１９間にパッド２０を追加に配置してもよい。パッド２０は、所定の角度で傾斜しており、その結果、二つのクランプエレメント１９間にクランプされたメモリーカード１もまた、この傾斜角度を示す。傾斜しているため、メモリーカード１の取り出し及び再挿入が容易である。
【００２１】
図７ｂは、二つの隣接したクランプエレメント１９間にメモリーカード１をクランプでき且つ振動に対して保護できるように複数のクランプエレメント１９が円をなして配置されたＣＤケース挿入体２を示す。クランプエレメント１９間には、パッド２０が追加に配置されていてもよく、これらのパッドは所定角度で傾斜しており、そのため、２つのクランプエレメント１９間にクランプされたメモリーカード１もまた、この傾斜角度を示す。傾斜位置のため、メモリーカード１は、取り出し及び再挿入が容易である。図７ｃは、パッド２０及びメモリーカード１の結果的傾斜位置を示す、図７ｂの側面図である。
【００２２】
図８は、図８ｂによるケースを示す。図８ｂは、メモリーカード１を挿入できる凹所８が円をなして配置されたＣＤケース挿入体２を示す。好ましくは、これらの凹所８の各々のほぼ中央には、挿入されているメモリーカード１を指で押し出すようになった穴２１が設けられている。この目的のため、穴２１が覆われないように、ＣＤケース挿入体２の下にカバー手段が設けられていてはならない。図８ｃは、メモリーカード１を凹所８に挿入した、上述の種類のケースを示す。
【００２３】
このケース２の凹所８の領域は、開口部２３を持つ回転自在のカバー２２で覆われる。開口部２３は、カバー２２を回転させたときに凹所８が次々に個々に現れるように、一つのメモリーカード１の大きさを備えている。
【００２４】
使用に当たっては、カバー２２の開口部２３を所望の位置に置いた後、メモリーカード１の挿入又は取り出しを行うことができる。
【００２５】
図９は、たばこの箱やディスケットの箱の形状及び寸法を持つケース４を示す。ケースは、その二つの反対側の端部の各々に開口部蓋２４を備えている。各端部に数枚のメモリーカード１を滑り込ませることができ、好ましくは、これらのメモリーカード１は、最終的に挿入された状態でクランプ手段２５のところにクランプされる。図９ａは、一端の開放蓋を開放し、メモリーカード１がこの一方の端部に挿入された状態でケース４を示す。図９ｂは、メモリーカード１の好ましい可能な位置がわかるように前外面を取り外した状態でケース４を示す。図９ｃは、図９ｂと同じ図であるが、メモリーカード１がない図である。このようにして、挿入されたメモリーカード１をケース４内の中央に保持できる好ましいクランプ機構が明らかになる。
【００２６】
図１０は、フィルム容器の形状及び代表的寸法を持つケース５を示す。フィルム容器は、今日、写真の分野で、フィルム及びネガフィルムについて益々使用されなくなっている。しかしながら、現在、大部分の写真家が、画像をメモリーカードに記憶するデジタルカメラを使用しているけれども、写真バッグには、現在でもこうしたフィルム容器を収容するための手段が設けられている。
【００２７】
図１０ｃは、蓋を開けたフィルム容器の形態の、発泡材料製の挿入体２６を支持するケース５を示す。発泡材料製挿入体２６には、スロットの形態の幾つかの凹所２７が設けられており、各凹所はメモリーカード１を収容でき、振動から保護できる。図１０ａは、メモリーカード１を凹所２７に挿入した、同じケース５を示す。図１０ｂは、蓋を閉じた同じケース５を示す。
【００２８】
上述したＣＤ及びＣＤケースの場合と同じ方法、例えば図７ａ、図７ｂ、及び図７ｃによる機構、及び図９ａ、図９ｂ、及び図９ｃによる機構と本質的の同じ機構で、メモリーカードを収容するためにディスケット及びディスケット用ケースを使用できる。この目的のため、図７のケース２は、ディスケットの寸法を有し、図９のケース４は、たばこの箱の寸法でなく、ディスケットケースの寸法を備えている。保持機構には、例えば、メモリーカード滑り込み機構、メモリーカードクランプ機構、又はメモリーカードをカチッと取り付ける機構が含まれる。
【００２９】
本発明の利点は、消費者がケースの新たな形式に慣れる必要がなく、及び従って、メモリーカードを整然ときれいに且つ安全に収納するために新たなスタンドやケースを購入する必要がないということである。
【図面の簡単な説明】
【００３０】
【図１ａ】図１ａは、一部品ケースを上方から見た斜視図である。
【図１ｂ】図１ｂは、一部品ケースを下方から見た斜視図である。
【図２ａ】図２ａは、メモリーカードをカチッと取り付けるための一部品ケースの斜視図である。
【図２ｂ】図２ｂは、メモリーカードをカチッと取り付けるための一部品ケースの斜視図である。
【図２ｃ】図２ｃは、メモリーカードを押し込むための一部品ケースの斜視図である。
【図２ｄ】図２ｄは、メモリーカードを押し込むための一部品ケースの斜視図である。
【図３ａ】図３ａは、メモリーカードを滑り込ませるための二部品ケースの斜視図である。
【図３ｂ】図３ｂは、メモリーカードを滑り込ませるための二部品ケースの斜視図である。
【図３ｃ】図３ｃは、メモリーカードを滑り込ませるための二部品ケースの斜視図である。
【図４ａ】図４ａは、クランプエレメントを備えた二部品ケースの斜視図である。
【図４ｂ】図４ｂは、クランプエレメントを備えた二部品ケースの斜視図である。
【図４ｃ】図４ｃは、クランプエレメントを備えた二部品ケースの斜視図である。
【図５ａ】図５ａは、メモリーカードをクランプ止めするための二部品ケースを上方から見た斜視図である。
【図５ｂ】図５ｂは、上部分を下方から見た斜視図である。
【図５ｃ】図５ｃは、図５ａによる上部分の様々な実施形態の一つの断面図である。
【図５ｄ】図５ｄは、図５ａによる上部分の様々な実施形態の一つの断面図である。
【図５ｅ】図５ｅは、図５ａによる上部分の様々な実施形態の一つの断面図である。
【図６】図６は、メモリーカードをクランプ止めするためのケースの斜視図である。
【図７ａ】図７ａは、メモリーカードをクランプ止めするためのＣＤケース挿入体の斜視図である。
【図７ｂ】図７ｂは、メモリーカードをクランプ止めするためのＣＤケース挿入体の斜視図である。
【図７ｃ】図７ｃは、メモリーカードをクランプ止めするためのＣＤケース挿入体の斜視図である。
【図８ａ】図８ａは、回転自在の蓋を持つ、メモリーカードを挿入するためのＣＤケース挿入体の斜視図である。
【図８ｂ】図８ｂは、回転自在の蓋を持つ、メモリーカードを挿入するためのＣＤケース挿入体の斜視図である。
【図８ｃ】図８ｃは、回転自在の蓋を持つ、メモリーカードを挿入するためのＣＤケース挿入体の斜視図である。
【図９ａ】図９ａは、メモリーカードをクランプ止めするためのたばこの箱の形態のケースの斜視図である。
【図９ｂ】図９ｂは、メモリーカードをクランプ止めするためのたばこの箱の形態のケースの斜視図である。
【図９ｃ】図９ｃは、メモリーカードをクランプ止めするためのたばこの箱の形態のケースの斜視図である。
【図１０ａ】図１０ａは、メモリーカードをクランプ止めするためのフィルム容器の形態のケースの斜視図である。
【図１０ｂ】図１０ｂは、メモリーカードをクランプ止めするためのフィルム容器の形態のケースの斜視図である。
【図１０ｃ】図１０ｃは、メモリーカードをクランプ止めするためのフィルム容器の形態のケースの斜視図である。
【符号の説明】
【００３１】
１  メモリーカード
２  ＣＤケース挿入体
４  たばこの箱又はディスケットの箱
５  フィルム容器
６  一部品ケース
７  開口部スロット
８  凹所
９  輪郭
１０  二部品ケース
１１  上部分
１２  下部分
１３  キャビティ
１４  ばね
１５  ばねを取り付けるための手段
１６  保持リング
１７  層板
１８  二段クリップ
１９  クランプエレメント
２０  傾斜角度を備えたパッド
２１  穴
２２  回転自在のカバー
２３  開口部
２４  開放した蓋
２５  クランプ手段
２６  発泡材料製フォーム
２７  スロットの形態の凹所
【図１ａ】
2008529140.tif 000004
【図１ｂ】
2008529140.tif 000005
【図２ａ】
2008529140.tif 000006
【図２ｂ】
2008529140.tif 000007
【図２ｃ】
2008529140.tif 000008
【図２ｄ】
2008529140.tif 000009
【図３ａ】
2008529140.tif 000010
【図３ｂ】
2008529140.tif 000011
【図３ｃ】
2008529140.tif 000012
【図４ａ】
2008529140.tif 000013
【図４ｂ】
2008529140.tif 000014
【図４ｃ】
2008529140.tif 000015
【図５ａ】
2008529140.tif 000016
【図５ｂ】
2008529140.tif 000017
【図５ｃ】
2008529140.tif 000018
【図５ｄ】
2008529140.tif 000019
【図５ｅ】
2008529140.tif 000020
【図６】
2008529140.tif 000021
【図７ａ】
2008529140.tif 000022
【図７ｂ】
2008529140.tif 000023
【図７ｃ】
2008529140.tif 000024
【図８ａ】
2008529140.tif 000025
【図８ｂ】
2008529140.tif 000026
【図８ｃ】
2008529140.tif 000027
【図９ａ】
2008529140.tif 000028
【図９ｂ】
2008529140.tif 000029
【図９ｃ】
2008529140.tif 000030
【図１０ａ】
2008529140.tif 000031
【図１０ｂ】
2008529140.tif 000032
【図１０ｃ】
2008529140.tif 000033
【国際調査報告】
2008529140.tif 000034
2008529140.tif 000035
2008529140.tif 000036
2008529140.tif 000037
2008529140.tif 000038
2008529140.tif 000039